(57)【要約】【課題】患者の動きをいち早く把握することのできる医療用スコープを提供する。【解決手段】医療用スコープ１は、術者が保持する柱状の本体部１０と、当該本体部１０の前端に露出した筒部材２０と、を具備し、本体部１０には、使用状態で下方向に向かって突き出されて術者の手の平側に臨む補助保持部６０が形成されている。【選択図】図１
0003224557.tif 000002
【実用新案登録請求の範囲】
【請求項１】
術者が片手で保持する柱状の本体部と、当該本体部の先端から露出しているスコープ機能部と、を具備する医療用スコープであって、
前記本体部には、使用状態で手首側に向かって突き出された補助保持部が形成されており、
使用時には、前記本体部の上面部に術者の人差し指が添えられ、前記本体部が当該人差し指と親指との間の部位で支持されると共に、前記補助保持部が術者の手の平側に臨み、かつ該補助保持部に親指が添えられてなる
ことを特徴とする医療用スコープ。
【請求項２】
前記本体部の基端部から、前記スコープ機能部に接続されたケーブルが差し出されており、使用時に前記ケーブルが前記基端部から下方向に差し出された状態となる
請求項１に記載の医療用スコープ。
【請求項３】
前記スコープ機能部には、前記本体部の先端から前方に向かって光を照射する発光部が備えられており、さらに前記スコープ機能部のうち、前記本体部の先端から露出した部分が、透明な筒部材で構成され、前記筒部材の筒軸方向が、前記本体部の基端から先端に向かう方向に一致してなる
請求項１又は請求項２に記載の医療用スコープ。
【請求項４】
前記筒部材が前記本体部に対して脱着可能である
請求項１乃至請求項３のいずれか１項に記載の医療用スコープ。
【考案の詳細な説明】
【技術分野】
【０００１】
本考案は、主に耳孔内や鼻孔内、そして口腔内を視認するための医療用スコープに関する。
【背景技術】
【０００２】
従来から、このような医療用スコープとしては、例えば特許文献１に開示されている構成が知られている。具体的には、柱状の本体部を有し、当該本体部を術者が手で握って患者の耳孔内等に撮像管（スコープ機能部）を挿入して内部を視認する。
【先行技術文献】
【特許文献】
【０００３】
【特許文献１】特許第６１６７２０６号公報
【考案の概要】
【考案が解決しようとする課題】
【０００４】
しかしながら、従来の医療用スコープにあっては、特に顔を一定位置に固定することの困難な幼児等が検査対象となる場合に検査中に不意に顔を動かしてしまうことが多く、その動きに対応して瞬時に医療用スコープを耳孔内等から退避させなければならない、という課題があった。
【０００５】
ここで、考案者は、このような問題は医療用スコープと患者との距離感がつかみにくいことが原因であることを突き止めた。
【０００６】
本考案は、患者の動きをいち早く把握することのできる医療用スコープを提供することを目的とする。
【課題を解決するための手段】
【０００７】
本考案は、術者が片手で保持する柱状の本体部と、当該本体部の先端から露出しているスコープ機能部と、を具備する医療用スコープであって、前記本体部には、使用状態で手首側に向かって突き出された補助保持部が形成されており、使用時には、前記本体部の上面部に術者の人差し指が添えられ、前記本体部が当該人差し指と親指との間の部位で支持されると共に、前記補助保持部が術者の手の平側に臨み、かつ該補助保持部に親指が添えられてなることを特徴とする医療用スコープである。
【０００８】
かかる構成にあっては、前記本体部から下方向に向かって突き出される前記補助保持部を術者が手の平で挟むように持つことができ、術者の余った指（例えば薬指と小指）を患者の体の一部に添えることが可能となる。これによって患者の動きをいち早く把握して咄嗟に医療用スコープを退避させて怪我等を防止することができるようになる。
【０００９】
また、前記本体部の基端部から、前記スコープ機能部に接続されたケーブルが差し出されており、使用時に前記ケーブルが前記基端部から下方向に差し出された状態となる構成が提案される。
【００１０】
かかる構成とすることにより、使用時に術者の手元でケーブルが巻き付いて煩わしい、といったことがなくなり、また術者はケーブルの差出し方向によって、視認中の画像の上下左右を容易に判別することができる。
【００１１】
さらに、前記スコープ機能部には、前記本体部の先端から前方に向かって光を照射する発光部が備えられており、さらに前記スコープ機能部のうち、前記本体部の先端から露出した部分が、透明な筒部材で構成され、前記筒部材の筒軸方向が、前記本体部の基端から先端に向かう方向に一致してなる構成が提案される。
【００１２】
かかる構成とすることにより、前記発光部の表面積が増大し、発光量をより一層多くすることができる。
【００１３】
またさらに、前記筒部材が前記本体部に対して脱着可能である構成が提案される。
【００１４】
かかる構成とすることにより、前記筒部材のみを交換することで医療用スコープの衛生状態を簡便な作業だけで良好に保つことができる。
【考案の効果】
【００１５】
本考案にかかる医療用スコープは、患者の動きをいち早く把握して術者の咄嗟の対応を可能とする効果がある。
【図面の簡単な説明】
【００１６】
【図１】（ａ），（ｂ）ともに実施例にかかる医療用スコープの斜視図である。
【図２】実施例にかかる医療用スコープを用いて耳孔内を検査している状態を示す説明図である。
【図３】実施例にかかる医療用スコープを用いて口腔内を検査している状態を示す説明図である。
【考案を実施するための形態】
【００１７】
以下に本考案を具体化した実施例を詳細に説明する。なお、本考案は、下記に示す実施例に限定されることはなく、適宜、設計変更が可能である。
【００１８】
医療用スコープ１は、図１に示すように、軸に沿って径が連続的に変化する円柱状の本体部１０を備えている。
【００１９】
本体部１０の先端（前端）には、筒軸方向を前後方向とした透明な筒部材２０が配されている。筒部材２０は本体部１０に対して脱着可能とされており、筒部材２０を容易に交換することができる。具体的に筒部材２０は、本体部１０に内蔵されたＯリング（図示省略）によって保持される。
【００２０】
また、本体部１０の内部には、制御回路やレンズ、さらには発光部としての発光ＬＥＤや撮影手段としてのカメラ等が配されている。ここで、発光ＬＥＤは、本体部１０の前方に向かって光を照射する機能を有する。また、カメラは、本体部１０の前方を撮影する機能を有する。なお、筒部材２０、制御回路、レンズ、発光ＬＥＤ、及びカメラによって、本考案にかかるスコープ機能部が構成されている。
【００２１】
また、本体部１０の基端部（後端部）からは、ケーブル３０が下方向に向かって差し出されている。なお、ケーブル３０は、スコープ機能部に接続されている。また、本体部１０の基端部からは、コネクタ４０が上方向に向かって設けられており、当該コネクタ４０に、画像表示手段としてのディスプレイ５０が直接取り付けられている。このディスプレイ５０には、スコープ機能部のカメラで撮影された画像が表示される。
【００２２】
さらに本体部１０の先端寄りの位置には、下方向に向かって突き出された補助保持部６０が形成されている。この補助保持部６０は、医療用スコープ１における使用状態において、術者の手の平側に臨むことになる。
【００２３】
上述の医療用スコープ１は、例えば図２に示すように、患者Ｈの耳孔内に筒部材２０を挿入して耳孔内部を撮影して視認し、検査することができる。このとき、術者Ｄは医療用スコープ１の本体部１０の基端部を親指と人差し指の付け根付近で挟んで支持し、人差し指を本体部１０の上面に添え、かつ中指を本体部１０の下部に添え、親指を補助保持部６０に添えて医療用スコープ１を安定して保持することができる。そして術者は余った薬指や小指で患者Ｈに触れることができ、これによって患者Ｈの顔の動きをいち早く把握することができる。
【００２４】
また例えば図３に示すように、医療用スコープ１は、患者Ｈの口腔内に筒部材２０を挿入して喉を検査することもできる。このときもまた、同様な持ち方で術者Ｄは医療用スコープ１の補助保持部６０に親指を添え、薬指あるいは小指を患者Ｈの下唇に触れて検査することができる。これによって、術者は患者Ｈの顔の動きをいち早く把握することができる。
【００２５】
また、撮影された画像はケーブル３０に接続されたディスプレイ５０に表示して術者Ｄが視認することができるが、このとき、本体部１０から差し出されたケーブル３０の方向を下方向として確認できるため、画像の上下左右を容易に判別できる。
【００２６】
さらに、筒部材２０は本体部１０に対して脱着可能であるため、筒部材２０のみを交換することで、医療用スコープ１を清潔に保つことができる。そして筒部材２０は透明であり、発光ＬＥＤから照射された光を筒部材２０の先端部から十分な発光量で照らすことができる。
【００２７】
上記実施例において、各部の寸法形状は適宜自由に選択可能である。
また、補助保持部６０の形状は特に限定されないが、術者Ｄが持ち易いように手の形に合わせて表面に凹凸が形成されていてもよい。また、本体部１０の外面形状も同様に凹凸が形成されていてもよい。
また、筒部材２０の先端面は平面でもよいし、光を乱反射しやすくするために適宜凹凸が形成されていてもよい。
【符号の説明】
【００２８】
１          医療用スコープ
１０        本体部
２０        筒部材
３０        ケーブル
４０        コネクタ
５０        ディスプレイ
６０        補助保持部
Ｄ          術者
Ｈ          患者
【図１】
0003224557.tif 000003
【図２】
0003224557.tif 000004
【図３】
0003224557.tif 000005